(57)【要約】【課題】取り付け作業性がよく、かつ安価な構成で、密閉型圧縮機の電装品カバーの共振による騒音の低減を図る。【解決手段】電装品カバー７を構成する５面の少なくとも１つの面に、凹部７ａを設け、凹部７ａの内部に凹部７ａより厚みの薄いブチルゴムシート８を貼り付けているので、形状効果による面の剛性向上とブチルゴムシート８のダンピング効果による制振作用との相互作用で、圧縮機本体１の運転時の電装品カバー７の共振を抑制し、騒音を低減することができる。【選択図】　図４
2004138019.tif 000002
【特許請求の範囲】
【請求項１】
圧縮機本体と、前記圧縮機本体内に収容された電動要素と、前記電動要素と前記圧縮機本体の外部とを接続するターミナルと、前記ターミナルを囲うように前記圧縮機本体に固定されたブラケットと、前記ターミナルに挿入固定された電装品と、前記ブラケットに前記電装品を覆うように係止固定された電装品カバーとからなり、前記電装品カバーを構成する少なくとも１つの面に、凹部を設けた密閉型圧縮機。
【請求項２】
前記電装品カバーの前記凹部に、前記凹部から出っ張らない厚さのブチルゴムを貼りつけた請求項１に記載の密閉型圧縮機。
【請求項３】
前記電装品カバーの前記凹部を複数個所に設け、複数個所の前記凹部の少なくとも一ヶ所にブチルゴムを挿入した請求項１または請求項２に記載の密閉型圧縮機。
【請求項４】
圧縮機本体と、前記圧縮機本体内に収容された電動要素と、前記電動要素と前記圧縮機本体の外部とを接続するターミナルと、前記ターミナルを囲うように前記圧縮機本体に固定されたブラケットと、前記ターミナルに挿入固定された電装品と、前記ブラケットに前記電装品を覆うように係止固定された電装品カバーとからなり、前記電装品カバーを構成する少なくとも１つの面に、ゴムシートを貼りつけた密閉型圧縮機。
【発明の詳細な説明】
【０００１】
【発明の属する技術分野】
本発明は、冷蔵庫、エアーコンディショナー、冷凍冷蔵装置等に用いられる密閉型圧縮機の電装品カバー構造に関するものである。
【０００２】
【従来の技術】
近年、家庭用冷凍冷蔵庫等の冷凍装置に使用される密閉型圧縮機については、消費電力の低減、静音化、低コスト化が強く望まれている。こうした中、インバーター駆動による圧縮機の低回転化に伴い回転域の拡大が進み、各回転域での静音化と低コスト化の両立が重要視されている。
【０００３】
従来の密閉型圧縮機としては、電装品カバーの構造を工夫することによって、電装品カバーの固定金具を廃止すると同時に、電装品カバーの固定作業性を向上させ、低コスト化を図ったものがある（例えば、特許文献１参照。）。
【０００４】
以下、図面を参照しながら、上述した従来の密閉型圧縮機について説明する。
【０００５】
図１１は従来の密閉型圧縮機と電装品と電装品カバーの斜視図である。図１２は従来の密閉形圧縮機に溶接固定されたブラケットと電装品カバーの係止固定前の要部斜視図である。図１３は従来の密閉形圧縮機に溶接固定されたブラケットと電装品カバーの係止固定後の要部斜視図である。
【０００６】
図１１から図１３において、１は圧縮機本体である。２は圧縮機本体１に溶接固定されたターミナルである。３はターミナル２を囲うように圧縮機本体１に溶接固定された略口字状のブラケットで、対向する左右の両壁にそれぞれ係止穴３ａを設けている。４、５はそれぞれターミナル２に挿入固定される電装品である。６は電装品カバーで、対向する左右の両壁のそれぞれ外側に、ブラケット３の係止穴３ａに対応する位置に傾斜状の突起６ａを設けている。
【０００７】
以上のように構成された密閉型圧縮機の電装品カバーについて以下その動作を説明する。
【０００８】
まず、圧縮機本体１に溶接固定されたターミナル２に、電装品４，５を挿入固定する。次に圧縮機本体１に溶接固定されたブラケット３の略口字状の内壁に沿って電装品カバー６を挿入する。その際、ブラケット３の係止穴３ａに電装品カバー６の傾斜状の突起６ａが嵌まり込むことによって外れ防止となり、挿入作業が完了する。これらの構造により電装品カバー６の固定用の金具が廃止でき低コスト化を図っている。
【０００９】
【特許文献１】
特開平０７−１３９４６６号公報
【００１０】
【発明が解決しようとする課題】
しかしながら、上記従来の構成は、低コスト化のために電装品カバーの固定金具を廃止しているために、固定金具による電装品カバーの押付け固定力がなくなることから、特に背面はその影響を受け共振しやすくなり、騒音レベルを高めるという欠点があった。
【００１１】
本発明は上記従来の課題を解決するもので、電装品カバーの挿入作業性を維持しつつ、静音化と低コスト化を両立する電装品カバーを提供することを目的とする。
【００１２】
また、上記従来の構成は、インバーター駆動による圧縮機の回転域の拡大に対して、ますます共振抵抗力が低下し、電装品カバーの形状設計だけでは共振を回避することに限界があった。
【００１３】
本発明の他の目的は、インバーター駆動による圧縮機の回転域の拡大に対して、共振を回避するためのチューニングしやすい電装品カバーを提供することを目的とする。
【００１４】
【課題を解決するための手段】
本発明の請求項１に記載の発明は、圧縮機と、前記圧縮機内に収容された電動要素と、前記電動要素と前記圧縮機の外部とを接続するターミナルと、前記ターミナルを囲うように前記圧縮機に固定されたブラケットと、前記ターミナルに挿入固定された電装品と、前記ブラケットに前記電装品を覆うように係止固定された電装品カバーとからなり、前記電装品カバーを構成する少なくとも１つの面に、凹部を設けたものであり、面の剛性ｕｐにより前記電装品カバーの共振による面の振動を抑制するという作用を有する。
【００１５】
請求項２に記載の発明は、請求項１に記載の発明に更に、凹部の内部にブチルゴムシートを貼りつけたものであり、面の剛性ｕｐとブチルゴム自体の制振作用により前記電装品カバーの共振による面の振動を更に効果的に抑制するという作用を有する。
【００１６】
請求項３に記載の発明は、請求項１または請求項２に記載の発明に更に、前記電装品カバーを構成する少なくとも１面に、複数の凹部を設け、前記複数の前記凹部の少なくとも一ヶ所にブチルゴムを挿入したものであり、前記電装品カバーの共振による面の振動を抑制し易くするという作用を有する。
【００１７】
請求項４に記載の発明は、圧縮機と、前記圧縮機内に収容された電動要素と、前記電動要素を前記圧縮機の外部に接続するターミナルと、前記ターミナルを囲うように前記圧縮機に固定されたブラケットと、前記ターミナルに挿入固定された電装品と、前記ブラケットに前記電装品を覆うように係止固定された電装品カバーとからなり、前記電装品カバーを構成する少なくとも１面に、ゴムシートを貼りつけたものであり、前記電装品カバーの共振による面の振動を抑制するという作用を有する。
【００１８】
【発明の実施の形態】
以下、本発明による密閉型圧縮機の実施の形態について、図面を参照しながら説明する。なお、従来と同一構成については、同一符号を付して詳細な説明を省略する。
【００１９】
（実施の形態１）
図１は、本発明の実施の形態１による密閉型圧縮機の電装品カバーの斜視図であり、図２は同実施の形態の拡大斜視図である。図３は同実施の形態の縦断面図である。
【００２０】
図１、図２、図３において、７は電装品カバーで、７ａは電装品カバー７の背面のほぼ中央に、電装品側（内側）に成形した凹部である。凹部７ａは反電装品側（外側）でも可であるが、電装品側（内側）の方が取り付け作業性がよく、電装品の邪魔にもならない。凹部７ａは電装品カバー７の樹脂成形時に一体成形したものである。
【００２１】
以上のように構成された電装品カバーについて、以下その動作を説明する。
【００２２】
圧縮機本体１が運転をはじめると、圧縮機本体１の加振力がブラケット３を介して電装品カバー７に伝達される。電装品カバー７の背面は他の４つの面と比べて、ブラケット３による拘束がなく、最も共振しやすい面となるが、背面のほぼ中央に形成した凹部７ａにより、背面自体の剛性を高めることができ、共振を抑え、振動を低減することにより静音化を図ることができる。
【００２３】
上記実施の形態１では、背面に凹部を形成したが、他の面でも適当な凹部の範囲を選定すれば近似した効果が得られる。また、部品点数、作業性は従来のままで、コストＵＰがなく経済的である。
【００２４】
（実施の形態２）
図４は、本発明の実施の形態２による密閉型圧縮機の電装品カバーの斜視図であり、図５は同実施の形態の縦断面図である。
【００２５】
図４、図５において、８はブチルゴムシートで、それ自身に粘着性を具備し、厚さは凹部７ａの深さより薄いものとしている。ブチルゴムシート８は電装品カバー７の凹部７ａ内に挿入し、凹部７ａの表面から出っ張らないように、凹部７ａの底面に押し付けて貼りつけている。
【００２６】
以上のように構成された電装品カバーについて、以下その動作を説明する。
【００２７】
圧縮機本体１が運転をはじめると、圧縮機本体１の加振力がブラケット３を介して電装品カバー７に伝達される。電装品カバー７の背面は他の４つの面と比べて、ブラケット３による拘束がなく、最も共振しやすい面となるが、背面のほぼ中央に形成した凹部７ａによる背面自体の剛性ＵＰと、更に凹部７ａの底面に貼りつけられたブチルゴムシート８の制振作用との相互作用で効果的に共振を抑え振動を低減することにより静音化を図ることができる。
【００２８】
また、ブチルゴムシート８を、電装品カバー７に凹部７ａを形成せずに直接貼り付けることも可能であるが、その場合は、ブチルゴムシート自身が具備する粘着性が災いし、流通過程や製造工程において電装品カバー同士が張り付いてしまうという欠点と、ブチルゴムシートを貼り付けるための位置決めが必要になるという欠点がある。
【００２９】
本実施の形態ではブチルゴムシートが凹部から出っ張らないため、ブチルゴムシートを貼り付けた後の工程で、電装品カバー同士が張り付くという問題はない。また、ブチルゴムシートを凹部に挿入する構成であるため、凹部が位置決めになり、貼り付け位置を安定させることができる。
【００３０】
（実施の形態３）
図６は、本発明の実施の形態３による密閉型圧縮機の電装品カバーの斜視図であり、図７は同実施の形態の縦断面図である。
【００３１】
図６、図７において、９は電装品カバーで、９ａは電装品カバー９の背面に複数ヶ所で、かつ電装品側（内側）に成形した凹部である。前記凹部は反電装品側（外側）でも可であるが、電装品側（内側）の方が取り付け作業性がよく、電装品の邪魔にもならない。
【００３２】
凹部９ａは電装品カバー９の樹脂成形時に一体成形したものである。１０はブチルゴムで、それ自身に粘着性を具備し、更に外力によって自由に変形する柔軟性も具備しているものである。ブチルゴム１０は電装品カバー９の凹部９ａ内に挿入し、凹部９ａの表面から出っ張らないようにブチルゴムの使用量を調整しながら、凹部９ａの底面まで押し付け挿入し貼りつけている。
【００３３】
以上のように構成された電装品カバーについて、以下その動作を説明する。
【００３４】
圧縮機本体１が運転をはじめると、圧縮機本体１の加振力がブラケット３を介して電装品カバー９に伝達される。電装品カバー９の背面は他の４つの面と比べて、ブラケット３による拘束がなく、最も共振しやすい面となるが、背面の複数ヶ所に形成した凹部９ａによる背面自体の剛性ＵＰと、更に凹部９ａの底面まで押し付け挿入し貼りつけられたブチルゴム１０の制振作用との相互作用で効果的に共振を抑え振動を低減することにより、静音化を図ることができる。
【００３５】
また、ブチルゴム１０を押し付け挿入する数と、挿入するブチルゴム一つひとつの使用量を調整することにより、多種多様な圧縮機に対して、またインバーター駆動による幅広い回転域に対して、共振を回避するための最適なチューニングが可能になる。
【００３６】
（実施の形態４）
図８は、本発明の実施の形態４による密閉型圧縮機の電装品カバーの斜視図であり、図９は同実施の形態の拡大斜視図である。図１０は同実施の形態の縦断面図である。
【００３７】
図８から図１０において、１１は制振効果の高いゴムシートで、柔軟性が高く厚めのシートが好ましい。１２は粘着テープで、耐熱性に優れ、高い粘着性が長期に維持できるものが好ましい。ゴムシート１１は片面に貼り付けられた粘着テープ１２で、電装品カバー６の背面に貼りつけ固定している。
【００３８】
以上のように構成された電装品カバーについて、以下その動作を説明する。
【００３９】
圧縮機本体１が運転をはじめると、圧縮機本体１の加振力がブラケット３を介して電装品カバー６に伝達される。電装品カバー６の剛性の背面は他の４つの面と比べて、ブラケット３による拘束がなく、最も共振しやすい面となるが、背面に貼り付けられたゴムシート１１の制振作用によって共振を抑え振動を低減することにより静音化を図ることができる。
【００４０】
【発明の効果】
以上説明したように請求項１に記載の発明は、電装品カバーの挿入作業性を維持しつつ、低コストの電装品カバーを提供し、圧縮機の静音化を実現することができるという効果がある。
【００４１】
また、請求項２に記載の発明は、請求項１に記載の発明の効果に加えて、ブチルゴムシートの貼り付け作業の安定化と貼り付け後の工程での不具合の防止を織り込んだ電装品カバーを提供し、ブチルゴムシートの制振作用で更に圧縮機の静音化実現することができるという効果がある。
【００４２】
また、請求項３に記載の発明は、請求項１または請求項２に記載の発明の効果に加えて、気筒容積の違い、電源周波数の違い、インバーター駆動による幅広い回転域など、多種多様な用途にチューニングが可能な電装品カバーを提供し、多種多様な圧縮機の静音化を実現できるという効果がある。
【００４３】
ブチルゴム挿入部数及び各個所のブチルゴムの使用量の調整により、インバーター駆動などによる回転域の拡大に対して、電装品カバーの背面の振動から発生する騒音を、用途に合わせて効果的に低減することができる。
【００４４】
請求項４に記載の発明は、従来の電装品カバーのままでゴムシートを付加した電装品カバーを提供し、従来の電装品カバーを継続使用することができるとともに、ゴムシートの制振作用で圧縮機の静音化実現することができるという効果がある。
【図面の簡単な説明】
【図１】本発明による密閉型圧縮機の実施の形態１の分解斜視図
【図２】同実施の形態の密閉型圧縮機の要部拡大斜視図
【図３】同実施の形態の密閉型圧縮機の要部縦断面図
【図４】本発明による密閉型圧縮機の実施の形態２の要部斜視図
【図５】同実施の形態の密閉型圧縮機の要部縦断面図
【図６】本発明による密閉型圧縮機の実施の形態３の要部斜視図
【図７】同実施の形態の密閉型圧縮機の要部縦断面図
【図８】本発明による密閉型圧縮機の実施の形態４の分解斜視図
【図９】同実施の形態の密閉型圧縮機の要部拡大斜視図
【図１０】同実施の形態の密閉型圧縮機の要部縦断面図
【図１１】従来の密閉型圧縮機の分解斜視図
【図１２】従来の密閉型圧縮機の要部斜視図
【図１３】従来の密閉型圧縮機の要部斜視図
【符号の説明】
１　　圧縮機本体
２　　ターミナル
３　　ブラケット
４　　電装品
５　　電装品
７　　電装品カバー
７ａ　凹部
８　　ブチルゴムシート
９　　電装品カバー
９ａ　凹部
１０　ブチルゴム
１１　ゴムシート
【図１】
2004138019.tif 000003
【図２】
2004138019.tif 000004
【図３】
2004138019.tif 000005
【図４】
2004138019.tif 000006
【図５】
2004138019.tif 000007
【図６】
2004138019.tif 000008
【図７】
2004138019.tif 000009
【図８】
2004138019.tif 000010
【図９】
2004138019.tif 000011
【図１０】
2004138019.tif 000012
【図１１】
2004138019.tif 000013
【図１２】
2004138019.tif 000014
【図１３】
2004138019.tif 000015